(57)【要約】【課題】分解した筺体や説明書を、記憶媒体とともに保管することができ、また、記憶媒体乗記録面にキズをつけるおそれも減じる。【解決手段】ＣＤ−ＲＯＭ収容ケース１０は、薄い直方体状の中空の上側部分２０および下側部分２２と、これらの間に介在する薄い板状の境界部２３とを有する。境界部２３の上面は、上側部分の底面を構成し、下面は、下側部分の頂面を形成する。上側部分２０は、所定の辺の側において、開口が形成され、当該開口から円盤状の記憶媒体１３をスライドさせて、所定の収容位置に収容する記憶媒体収容部１４を有し、憶媒体収容部１４が、開口から他方端に向かって延びる側壁であって、その端が記憶媒体の形状に合致するような側壁２８と、境界部の上面に側壁の下端に沿って配置されるガイドレール３２と、前記記憶媒体が収容位置にあるときに、その移動を規制する規制部材３４とを有する。【選択図】    図１
2004182236.tif 000002
【特許請求の範囲】
【請求項１】
薄い直方体状の中空の上側部分と、薄い直方体状の中空の下側部分と、これらの間に介在する薄い板状の境界部分とを有し、前記下側部分が、前記上側部分および境界部分と着脱自在に取り付けられるように構成された本体を備え、
前記境界部の上面が、上側部分の底面を構成するとともに、その下面が、下側部分の頂面を形成し、
前記上側部分に、所定の辺の側において、開口が形成され、当該開口から円盤状の記憶媒体をスライドさせて、所定の収容位置に収容する記憶媒体収容部が設けられ、
前記記憶媒体収容部が、前記開口から他方端に向かって延びる側壁であって、その端が記憶媒体の形状に合致するような側壁と、前記境界部分の上面に前記側壁の下端に沿って配置されるガイドレールと、前記記憶媒体が収容位置にあるときに、その移動を規制する規制部材とを有し、
前記下側部分が、前記上側部分の所定の辺に対応する辺の少なくとも部分、および、他辺に沿った側壁を有し、前記下側部分が前記上側部分および境界部に取り付けられた状態で、下側部分の底面、側壁および境界部の下面により、他の収容部が形成されることを特徴とする記憶媒体収容ケース。
【請求項２】
前記規制部材が、収容位置にある前記記憶媒体の、前記開口された側の中央部の側壁を押圧する、前記上側部分の対向する側壁からそれぞれに向かって突出した、弾性変形可能な突起部を有することを特徴とする請求項１に記載の記憶媒体収容ケース。
【請求項３】
前記上側部分が、前記側壁により画定される空間を部分的に覆うカバーを有し、
前記規制部材が、前記カバーから延びる、弾性変形可能な舌片であって、その下側先端に、収容位置にある前記記憶媒体の中央穴の側壁と係合する突起を有する舌片を有することを特徴とする請求項１または２に記載の記憶媒体収容ケース。
【請求項４】
前記舌片が、前記突起が形成された位置から弧をなすように延びる延長部であって、その厚みが、突起が形成された部分以外とほぼ同一であるような延長部を有することを特徴とする請求項３に記載の記憶媒体収容ケース。
【請求項５】
前記突起の断面形状が、先端側においてゆるやかに弧を描き、その一方、他の側において舌片の下面とほぼ垂直であることを特徴とする請求項３または４に記載の記憶媒体収容ケース。
【請求項６】
さらに、前記カバーが、記憶媒体の収容時に初期的に当該記憶媒体を、前記記憶媒体収容部に配置するために、開口付近で円弧状に切り欠かれていることを特徴とする請求項３ないし５の何れか一項に記載の記憶媒体収容ケース。
【請求項７】
さらに、前記上側部分が、長方形状の四辺に沿った側壁を有するメモリカード収容部を有し、
前記メモリカード収容部が、対向する側壁に、収容位置にあるメモリカードの移動を規制するメモリカード規制部材を有することを特徴とする請求項１ないし６の何れか一項に記載の記憶媒体収容ケース。
【請求項８】
前記メモリカード規制部材が、一方の側壁の上部に形成された突起であって、対向する側壁に向けて上方に傾斜した下面を有する第１の突起と、
他方の側壁の中央部に形成され、その下面が、前記メモリカードが収容位置にあるときに、当該メモリカードの上面と接触する１以上の第２の突起とを有することを特徴とする請求項７に記載の記憶媒体収容ケース。
【請求項９】
前記下側部分の底面において、前記上側部分の所定の辺に対応する側で、Ｖ字型の切り欠きが形成されたことを特徴とする請求項１ないし８の何れか一項に記載の記憶媒体収容ケース。
【請求項１０】
前記境界部が、前記所定の辺の側と対向する側に延びる取手を有することを特徴とする請求項１ないし９の何れか一項に記載の記憶媒体収容ケース。
【請求項１１】
前記取手が、バインダまたはパイプファイルの一端のリング或いはパイプを通すための丸穴と、バインダ或いはパイプファイルの、他の１以上のリング或いはパイプを通すための、１以上の細長い穴とを有することを特徴とする請求項１０に記載の記憶媒体収容ケース。
【請求項１２】
前記ガイドレールと境界部の上面との間に形成される壁が、内側に傾斜して形成されることを特徴とする請求項１ないし１１の何れか一項に記載の記憶媒体収容ケース。
【請求項１３】
前記壁の下部において、対向する壁の間隔が前記記憶媒体の径より小さくなるように、前記壁が傾斜していることを特徴とする請求項１２に記載の記憶媒体収容ケース。
【発明の詳細な説明】
【０００１】
【発明の属する技術分野】
本発明は、ゲームソフトなどが記録された記録媒体を収納するためのケースに関する。
【０００２】
【従来の技術】
家庭用ゲーム機のゲームソフトは、現在、ＣＤ−ＲＯＭの形態で頒布されるのが一般的になっている。たとえば、ＣＤ−ＲＯＭが比較的サイズの大きい紙製の筺体に収容された状態で販売される。この筺体はサイズが大きいため、家庭において、筺体にＣＤ−ＲＯＭを収容した状態で保管することは稀である。このため、家庭では、ＣＤ−ＲＯＭが、ケースに収容されない状態で保管される場合が多い。
【０００３】
このような状態を改善するためには、ＣＤ−ＲＯＭを別途ケースに収容して保管するのが望ましい。従来、ＣＤ−ＲＯＭを保管するための、プラスチック製のケースが知られている。このケースの正面形状は、ＣＤ−ＲＯＭとほぼ内接する正方形であり、一辺を回動軸として、蓋体が下部本体から回動して開き、内部にＣＤ−ＲＯＭを収容できるようになっている。ＣＤ−ＲＯＭのケース内での移動を防止するために、下部本体の中央部には、ＣＤ−ＲＯＭの中空部と嵌合する突出部が形成されている。
【０００４】
【課題を解決するための手段】
しかしながら、上記ケースは、サイズが小さいため、説明書などを一緒に保管することができないという問題点があった。また、ゲームソフトを初期的に収容していた筺体を捨てずに保管しておく場合が多い。上述したケースにＣＤ−ＲＯＭを収容する場合には、筺体を別途、保管しておく必要がある。
【０００５】
たとえば、ケースのサイズを大型化して、説明書や、分解した筺体を内部に保管できるようにすることも考えられる。しかしながら、この場合には、回動自在な蓋体が大型化し、製造コストが著しく大きくなるという問題点がある。また、大型化した蓋体と、下部本体とのヒンジの強度を高める必要もある。
ＣＤ−ＲＯＭなど記憶媒体を収容するための比較的サイズの大きなケースが、たとえば、特許文献１に開示されている。
【０００６】
【特許文献１】
特開平８−２８２７６４号公報（第（２）頁、第（３）頁および図１）
【０００７】
特許文献１に開示されたケースにおいては、回動する蓋体を利用せず、切り込み（差込部）から記憶媒体を差し込むことで、裏面板と前面板との間に記憶媒体を収容できる。
しかしながら、上記ケースでは、記憶媒体の記録面が、裏面板の表面や中折板の端部と接触するため、キズがつく可能性があるという問題点があった。
本発明は、分解した筺体や説明書を、ＣＤ−ＲＯＭなどの記憶媒体とともに保管することができ、また、記憶媒体の記録面にキズがつくおそれの小さい、記憶媒体、特に、ゲームソフトの収容ケースを提供することを目的とする。
【０００８】
【課題を解決するための手段】
本発明の目的は、薄い直方体状の中空の上側部分と、薄い直方体状の中空の下側部分と、これらの間に介在する薄い板状の境界部分とを有し、前記下側部分が、前記上側部分および境界部分と着脱自在に取り付けられるように構成された本体を備え、前記境界部の上面が、上側部分の底面を構成するとともに、その下面が、下側部分の頂面を形成し、前記上側部分に、所定の辺の側において、開口が形成され、当該開口から円盤状の記憶媒体をスライドさせて、所定の収容位置に収容する記憶媒体収容部が設けられ、前記記憶媒体収容部が、前記開口から他方端に向かって延びる側壁であって、その端が記憶媒体の形状に合致するような側壁と、前記境界部分の上面に前記側壁の下端に沿って配置されるガイドレールと、前記記憶媒体が収容位置にあるときに、その移動を規制する規制部材とを有し、前記下側部分が、前記上側部分の所定の辺に対応する辺の少なくとも部分、および、他辺に沿った側壁を有し、前記下側部分が前記上側部分および境界部に取り付けられた状態で、下側部分の底面、側壁および境界部の下面により、他の収容部が形成されることを特徴とする記憶媒体収容ケースにより達成される。
【０００９】
本発明によれば、記憶媒体の記憶面は、その周囲に接触するガイドレールにより保持される。したがって、記憶媒体をスライドさせて収容位置にて保持する場合に、記録面のデータが記憶された領域と、記憶媒体収容部の底面、つまり、境界部の上面との間には空間が形成される。したがって、記録面のデータが形成された領域にキズなどの損傷を与えることなく、記憶媒体を収容し、或いは、これを取り出すことが可能となる。
【００１０】
また、上側部分および境界部分と、下側部分とを着脱自在に取り付け可能とすることにより、下側部分の底面および側壁と、境界部分の底面とにより確定される空間に、種々のもの、たとえば、ゲームソフトを収容していた筺体（パッケージ）を分解したものやゲームソフトの説明書を収容しておくことができる。
【００１１】
好ましい実施態様においては、前記規制部材が、収容位置にある前記記憶媒体の、前記開口された側の中央部の側壁を押圧する、前記上側部分の対向する側壁からそれぞれに向かって突出した、弾性変形可能な突起部を有している。この実施態様によれば、記憶媒体を側部から突起部が保持し、記憶媒体の移動を規制する。たとえば、側壁が、対向する側壁に向けて突出するような形状をとり、そこに突起部が形成されても良い。
【００１２】
また、別の好ましい実施態様においては、上側部分が、前記側壁により画定される空間を部分的に覆うカバーを有し、前記規制部材が、前記カバーから延びる、弾性変形可能な舌片であって、その下側先端に、収容位置にある前記記憶媒体の中央穴の側壁と係合する突起を有する舌片を有する。この実施態様によれば、収容位置にある記憶媒体の中央穴と舌片の突起とが係合することにより、上側から記憶媒体の動きを規制することができる。
【００１３】
より好ましい実施態様においては、舌片が、前記突起が形成された位置から弧をなすように延びる延長部であって、その厚みが、突起が形成された部分以外とほぼ同一であるような延長部を有する。使用者は、記憶媒体を取り出すときに、延長部に指を掛けて軽く引き上げれば、突起と、記憶媒体の中央穴の側壁との係合を解除することができる。また、前記突起の断面形状が、先端側においてゆるやかに弧を描き、その一方、他の側において舌片の下面とほぼ垂直であるのが望ましい。
【００１４】
また、好ましい実施態様においては、さらに、前記カバーが、記憶媒体の収容時に初期的に当該記憶媒体を、前記記憶媒体収容部に配置するために、開口付近で円弧状に切り欠かれている。したがって、使用者は、記憶媒体の周囲と切り欠きとが合致するように記憶媒体を、記憶媒体収容部の上に配置し、次いで、記憶媒体をスライドすればよい。
【００１５】
別の好ましい実施態様においては、さらに、前記上側部分が、長方形状の四辺に沿った側壁を有するメモリカード収容部を有し、前記メモリカード収容部が、対向する側壁に、収容位置にあるメモリカードの移動を規制するメモリカード規制部材を有している。たとえば、メモリカード規制部材は、一方の側壁の上部に形成された突起であって、対向する側壁に向けて上方に傾斜した下面を有する第１の突起と、他方の側壁の中央部に形成され、その下面が、前記メモリカードが収容位置にあるときに、当該メモリカードの上面と接触する１以上の第２の突起とを有するのが望ましい。
【００１６】
また、好ましい実施態様においては、下側部分の底面において、前記上側部分の所定の辺に対応する側で、Ｖ字型の切り欠きが形成されている。使用者は、切り欠きの部分を手に持ち、下側部分を、上側部分および境界部分と離間させることにより、これらを分離することができる。
【００１７】
さらに好ましい実施態様においては、前記境界部が、前記所定の辺の側と対向する側に延びる取手を有する。これにより、使用者は、取手を手に持ち、記憶媒体収容ケースを持ち運ぶことができる。より望ましくは、取手が、バインダまたはパイプファイルの一端のリング或いはパイプを通すための丸穴と、バインダ或いはパイプファイルの、他の１以上のリング或いはパイプを通すための、１以上の細長い穴とを有する。丸穴に、リングやパイプを通すことにより、バインダやパイプファイルの装着時に、記憶媒体収容ケースの位置が確定される。その一方、細長い穴を備えることで、２穴、４穴など種々のパイプファイルやバインダに、記憶媒体収容ケースを装着することが可能となる。
【００１８】
また、別の好ましい実施態様においては、前記ガイドレールと境界部の上面との間に形成される壁が、内側に傾斜して形成される。これにより、記憶媒体が斜めに載置されても、記憶媒体が傾けられたまま、その一方の端が境界部の上面に触れた状態となることが防止される。より望ましくは、前記壁の下部において、対向する壁の間隔が前記記憶媒体の径より小さくなるように、前記壁が傾斜している。
【００１９】
【発明の実施の形態】
以下、添付図面を参照して本発明の実施の形態につき説明を加える。図１は、本発明の実施の形態にかかるゲームソフト収容ケースの斜視図、図２は正面図、図３は右側面図、図４は底面図である。図１ないし図４に示すように、本実施の形態にかかるゲームソフト収容ケース１０は、本体１２と、本体上部に設けられたゲームプログラムを収容したＣＤ−ＲＯＭ１３を収容するＣＤ−ＲＯＭ収容部１４と、ゲームにおけるユーザデータを記憶するメモリカードを収容するメモリカード収容部１６とを有している。本体１２は、たとえば、白色半透明のポリプロピレンなどの樹脂で形成されている。また、本体１２は、第１層を形成する上側部分２０と、第２層を形成する下側部分２２とに分割され、上側部分２０と下側部分２２との間には、薄い平面状の境界部２３が形成される。
本実施の形態にかかるゲームソフト収容ケースは、たとえば横幅（短辺方向）が１３２ｍｍ、高さ（長辺方向）が６０ｍｍ、厚みが約９．５ｍｍのサイズを有している。
【００２０】
本体１２の一方の長辺には、取手１８が設けられている。取手１８は、境界部２３から連なって形成され、かつ、その中央部に２つの細長い穴（長穴）２４，２４と、端部に丸穴２５とが設けられている。丸穴２５は、いわゆる２穴、６穴或いは２０穴のバインダの端部に配置されたリング（図示せず）を通すことができるようになっている。また、長穴２４、２４は、上記２穴、６穴或いは２０穴のバインダの、上記端部以外のリング（図示せず）を通すことができる長さを有している。したがって、本実施の形態にかかるゲームソフト収納ケース１０は、バインダに収容することができ、かつ、使用者が取手１８を持つことにより、持ち運びも可能である。無論、バインダの代わりにパイプファイルを利用しても良いことは言うまでない。
【００２１】
また、上側部分２０の周囲および中央部の所定の位置には、境界部２３に向けて直立するスタッドが配置され、その一方、境界部２３の上面の対応する位置には直立するスリーブが配置されている。対応するスタッドとスリーブとが係合することにより、上側部分２０と境界部２３とが一体化される。本実施の形態においては、上側部分２０と境界部２３との取り付けは比較的強固であり、容易に、スタッドとスリーブとの係合が解除されないのが望ましい。
【００２２】
次に、本実施の形態にかかるＣＤ−ＲＯＭ収容部１４についてより詳細に説明する。図１ないし図３に示すように、本体１２の上側部分２０において、その他方の長辺（つまり、取手１８が形成されていない側の長辺）中央部に、開口２６が設けられ、これがＣＤ−ＲＯＭ収容部１４におけるＣＤ−ＲＯＭ挿入口を形成する。開口２６の長さは、８０ｍｍ径のＣＤ−ＲＯＭが収容できるように、ＣＤ−ＲＯＭの径より若干大きい（たとえば、８０．５ｍｍ）。また、上側部分２０と下側部分２２との間に形成された境界部２３の上面が、ＣＤ−ＲＯＭ収容部１４の底面を構成する。
【００２３】
開口２６から、本体１２の短辺を横断するように斜め方向に二つの側壁２８、２８が延びる。側壁２８、２８は円形をなして、端部は滑らかに連なる。したがって、使用者は、開口からＣＤ−ＲＯＭを挿入し、側壁２８，２８に沿ってスライドすることにより、ＣＤ−ＲＯＭ収容部１４内に配置することができる。
ＣＤ−ＲＯＭ収容部１４の上部には、薄い樹脂材料で作られたカバー３０が設けられている。カバー３０は、上側部分２０の上面も構成する。カバー３０には、開口２６の側で円弧状の切り欠きが形成されている。したがって、挿入時には、使用者は、カバー３０が欠落した部分にＣＤ−ＲＯＭを載置し、側壁２８および後述するガイドレール３２に沿って、ＣＤ−ＲＯＭをスライドさせればよい。
【００２４】
さらに、図１、図２、および、図２のＡ−Ａ線切断部端面図である図５に示すように、境界部２３上で、側壁２８の内周に沿って細長いガイドレール３２が配置されている。ＣＤ−ＲＯＭを配置した状態で、ガイドレール３２の上面は、ＣＤ−ＲＯＭの記録面の周囲、つまり、データが記録されていない部分に接する。したがって、挿入時および収容時に、ＣＤ−ＲＯＭの記録面のうち、データが記録されている部分と、ＣＤ−ＲＯＭ収容部１４の底面、つまり、境界部２３の上面との間には空隙が形成される。これにより、ＣＤ−ＲＯＭの記録面にキズがつき、プログラムやデータの読み出しができなくなることを防止することができる。
【００２５】
また、ガイドレール側壁３４には、ＣＤ−ＲＯＭが収容された状態で、つまり、ＣＤ−ＲＯＭが収容位置にある場合に、当該ＣＤ−ＲＯＭの移動を抑制するような突起３４、３４が設けられている。突起３４は弾性変形可能であり、ＣＤ−ＲＯＭの収容時や引き出し時には、側壁２８の他の部分と滑らかに連なるように、突起３４が弾性変形する。突起３４の外側には、突起３４を突出する方向に付勢する付勢部材３６が配置されている。これにより、ＣＤ−ＲＯＭが収容位置にあるときに、その移動が抑制され、ＣＤ−ＲＯＭがスライドして開口から飛び出すのを防止できる。本実施の形態においては、対向する側壁２８を部分的に内側、つまり、相互に接近するように変形させることにより、突起３４が形成される。
【００２６】
さらに図１、図２、および、図２のＢ−Ｂ線切断部端面図である図６に示すように、カバー３０には、ＣＤ−ＲＯＭが収容位置にあるときに、当該ＣＤ−ＲＯＭの中央部の丸穴の壁に係合する、下向きの突起４０を備えた弾性のある舌片３８が設けられる。舌片３８の側部は、溝４２、４２によりカバー３０から分離しているため、舌片３８は、図６の矢印の方向に上下することができる。したがって、使用者が舌片３８の凹形状の先端に指をかけて、舌片３８を引き上げることができる。或いは、ＣＤ−ＲＯＭの上面が突起４０に接触した状態では、図６の二点鎖線に示すよう、舌片は若干上方に持ち上がる。その一方、使用者が引き上げない状態、つまり、力が加えられない状態で、舌片３８はその弾性力により下方に付勢される。したがって、ＣＤ−ＲＯＭが収容位置にあれば、突起４０がＣＤ−ＲＯＭの丸穴の壁への係合、および、舌片３８の弾性力により、ＣＤ−ＲＯＭの移動が抑制され、ＣＤ−ＲＯＭがスライドして開口から飛び出すことを防止できる。
【００２７】
次に、メモリカード収容部１６についてより詳細に説明する。図１および図２に示すように、本体１２の左側取手付近において、上側部分２０が、メモリカードとほぼ等しいサイズで開口している。開口の周囲には上側部分２０と連結された側壁４４が形成される。図７は、図２のＣ−Ｃ線切断部端面図である。図１、図２および図７に示すように、短辺に対応する側壁４４には、側壁に沿った突起がそれぞれ設けられている。取手側の側壁の突起４６は、その上部に形成されている。突起４６の下面４７は、開口に向けて所定角度（たとえば、２０°〜３０°）だけ上方に傾けられている。その一方、対向する側壁の二つの突起４８、４８は、その中央部に形成されている。
【００２８】
メモリカード４５を収容する際に、使用者は、メモリカード４５を傾けた状態で、一方の短辺付近の上面と、突起４６の下面４７とが接触するように挿入する（図７の二点鎖線参照）。メモリカード４５の短辺側の端部が、突起４６の下の壁面に接触すると、使用者は、メモリカード４５を下方に押し込む（図７の矢印参照）。これにより、メモリカード４５は、メモリカード収容部１６の所定の位置（収容位置）に配置される。収容位置において、メモリカードの短辺側の上部は、突起４６の下面４７および突起４８の下面４９に接触するため、メモリカードの動きが規制される。これにより、メモリカードの脱落を防止することが可能となる。
【００２９】
次に、下側部分２２についてより詳細に説明する。図８は、本実施の形態にかかるゲームソフト収容ケースの背面図である。下側部分２２は、後述する切り欠きを除き、周壁５０に囲まれた中空構造となっており、その底面５２、周壁５０、および、境界部２３の底面により確定される空間に、分解されたゲームソフトの筺体（パッケージ）、ゲームソフトの説明書などを収容することができる。
【００３０】
取手１６が配置されていない側において、底面５２には「Ｖ」字型の切り欠き５４が形成される。また、周壁５０に沿って、前記下側部分２２を、上側部分２０および境界部２３と着脱自在に取り付けるための、複数のスタッド（たとえば、符号６０、６１参照）が配置されている。スタッドは、上側部分２０の対応する位置に配置されたスリーブ（たとえば、符号６２、６３参照）と係合する。これにより、下側部分２２を、上側部分２０および境界部２３に取り付け、これらを一体化することができる（図９参照）。
【００３１】
このように構成されたゲームソフト収容ケース１０の使用につき説明を加える。使用者は、一体化した状態のゲームソフト収容ケース１０の上側部分のカバー３０に形成された円弧状の切り欠きに合致するように、ＣＤ−ＲＯＭを載置する。これにより、ＣＤ−ＲＯＭの記録面のうち、周囲のデータが記憶されていない部分が、ＣＤ−ＲＯＭ収容部１４の底面、つまり、境界部２３の上面に形成されたガイドレール３２に接触する。
【００３２】
次いで、使用者は、ＣＤ−ＲＯＭの上面や側面に手を触れて、ＣＤ−ＲＯＭを、側壁３２およびガイドレール３２に沿って、収容位置にスライドさせる。ＣＤ−ＲＯＭの記録面においては、その周囲のデータが記憶されていない部分が、ガイドレールと接触するだけであるため、スライドの際に、データの読み出しが不可能となるような記録面の傷が生じることを防止できる。
また、スライドの際に、ＣＤ−ＲＯＭの周壁が、側壁３２に形成された一対の突起３４、３４を押圧する。したがって、突起３４、３４は、それぞれ、外側に弾性変形して、ＣＤ−ＲＯＭを通過させる。ＣＤ−ＲＯＭが通過した後に、突起３４は、それ自身の復元力および付勢部材３６の付勢力によりもとの形状に戻る。
【００３３】
また、ＣＤ−ＲＯＭをスライドさせることにより、その上面が、舌片３８の突起４０に接触すると、舌片３８は、上方に持ち上げられる。ＣＤ−ＲＯＭが、収容位置に達すると、突起４０がＣＤ−ＲＯＭの中央穴に位置し、舌片３８の弾性力により、突起４０の壁に係合する。このように、側壁３２に形成された突起３４、３４および突起４０により、ＣＤ−ＲＯＭが確実に収容位置に配置することができる。
【００３４】
ＣＤ−ＲＯＭを取り出す際に、使用者は、たとえば、ＣＤ−ＲＯＭの中央穴に指を入れて、開口に向けてＣＤ−ＲＯＭを引き出すように移動させればよい。ＣＤ−ＲＯＭが引き出されると、舌片３８が持ち上がり、突起４０がＣＤ−ＲＯＭの上面に接触した状態となる。また、ＣＤ−ＲＯＭが引き出されるのにしたがって、突起３４、３４が、それぞれ、外側に弾性変形して、ＣＤ−ＲＯＭを通過させる。ＣＤ−ＲＯＭが通過すると、舌片３８および突起３４、３４は、双方とも、その復元力などにより元の位置に戻る。
ＣＤ−ＲＯＭが、カバーに形成された円弧状の切り欠きの位置まで引き出された後、使用者は、その外周壁などを持って持ち上げることにより、ＣＤ−ＲＯＭを取り出すことができる。
【００３５】
次に、メモリカードの収容および取り外しを説明する。前述したように、使用者は、メモリカードを傾けた状態で、一方の短辺付近の上面と、突起４６の下面４７とが接触するように挿入し、メモリカードの短辺側の端部を、突起４６の下の壁面に接触させた状態で、メモリカードを下方に押し込むことにより、メモリカードを、収容位置に配置することができる。また、メモリカードの側面に形成された凹凸に、たとえば、指をかけて、突起４８、４８の間を支点としてメモリカードを斜め方向に持ち上げた後、挿入と逆向きに引き出せばよい。
【００３６】
下側部分２２を取り外す際に、使用者は、たとえば、切り欠き５４の部分を手で持って、他の部分（上側部分２０および境界部２３）と離間する方向に、下側部分を引き上げればよい。これにより、下側部分の周壁５０に沿って配置されたスタッドと、上側部分の対応する位置のスリーブとの係合が解除され、下側部分２２が、他の部分から分離される。下側部分は、切り欠き５４の部分を除き、周壁５０にて取り囲まれるため、その内側に、空間を有する。使用者は、その空間に、分解されたゲームソフトの筺体（パッケージ）や説明書を載置することができる。その後、空間に筺体や説明書を収容した状態で、下側部分２０のスタッドと上側部分２２のスリーブとをそれぞれ係合し、下側部分２０と他の部分（上側部分３０および境界部２３）とを一体化することができる。この状態では、切り欠き５４を除き、下側部分の内部は、壁により画定されているため、内部に収容した筺体や説明書が脱落することがない。
【００３７】
さらに、バインダのリングや、パイプファイルのパイプに、丸穴２５や細長い穴を通すことで、複数のソフトウェア収容ケース１０を一元的に保管することも可能となる。図１０は、バインダ７０に、複数のゲームソフト収容ケース１０を収容した例を示す図である。図１０においては、２つのゲームソフト収容ケースが、それぞれ、その丸穴２５および細長い穴２４にリング７２を通すことにより、バインダ７０に収容される。
【００３８】
本実施の形態によれば、ＣＤ−ＲＯＭの記録面に損傷を与えデータの読み出しに支障が生じることなく、簡単な操作で、ＣＤ−ＲＯＭを所定の収容位置に配置し、収容位置からの意図しない脱落や飛び出しを防止することができる。また、本実施の形態によれば、ＣＤ−ＲＯＭとともに、ユーザデータを記憶したメモリカードや、分解した筺体（パッケージ）も適切に保持することができる。つまり、ゲームソフト収容ケースにより、一つのゲームソフトに関連する一連の物品を一括して保管することが可能となる。さらに、バインダやパイプファイルに、一以上のゲームソフト収容ケースを着脱可能に保持させることもできる。これにより、全てのゲームソフトを一括して保管することも可能となる。
【００３９】
次に、本発明の第２の実施態様について説明する。第２の実施態様においては、舌片の先端形状が変更され、使用者がＣＤ−ＲＯＭをより取り出しやすいようになっている。また、側壁およびガイドレールの断面形状についても、ＣＤ−ＲＯＭを載置し、かつ、スライドさせやすいようなものとしている。図１１は、第２の実施の形態にかかるゲームソフト収容ケースの正面図である。図１１において、第１の実施の形態と同一の部材に付いては同一の符号を付している。
【００４０】
図１１に示すように、第２の実施の形態においては、舌片１３８は、下向きの突起１４０が形成された位置からほぼ円弧をなすように延長部１３９が設けられる。延長部１３９の厚みは、舌片１３８の突起１４０が形成されていない他の部分の厚みと同様である。
【００４１】
図１２は、舌片１３８の略断面図である。この図に示すように、第２の実施の形態において、突起１４０は、先端側（開口２６の側）の断面形状と、上側部分との接続側の断面形状とが異なる。接続側の壁１４１は、舌片１３８からほぼ垂直方向に延びる。その一方、先端側の壁１４２は、比較的ゆるやかな弧を描く。ＣＤ−ＲＯＭを挿入するときに、ＣＤ−ＲＯＭの端部が先端側の壁１４２に当接する。ここで、先端側の壁１４２は弧を描いているため、ＣＤ−ＲＯＭが収容一に向けてスライドされるのにしたがって、上方に持ち上がる。その一方、ＣＤ−ＲＯＭが収容位置にあるときには、接続側の壁１４１は、舌片１３８からほぼ垂直方向に延びているため、ＣＤ−ＲＯＭの中央部の丸穴の壁にしっかりと係合する。係合を解除するためには、舌片の延長部１３９を指で持ち上げる必要がある。これにより、ＣＤ−ＲＯＭの脱落をより確実に防止することができる。
【００４２】
また、延長部１３９は、舌片１３８の突起１４０が形成された部分を除いた他の部分と同じ厚みであるため、その先端を簡単に指に引っ掛けることができる。したがって、ＣＤ−ＲＯＭの中央部の丸穴の壁と、接続側の壁１４１との間の係合を、比較的簡単に解除することが可能となる。
【００４３】
次に、第２の実施の形態にかかる側壁およびガイドレールについて説明する。図１３は、図１１のＦ−Ｆ切断部略断面図である。図１１に示すように、第２の携帯において側壁１２８は、対向する側壁１２８間の間隔が下方に向けて狭くなるように、若干内側に向けて傾斜している。また、ガイドレール１３２と境界部２３との間の側壁１３３は、ほぼ４５°の角度で、対抗する側壁間の間隔が下方に向けて狭くなるように内側に向けて傾斜している。
【００４４】
第１の実施の形態と同様に、ＣＤ−ＲＯＭ収容部１４に設けられた開口２６の長さ（幅）は、ＣＤ−ＲＯＭの径（８０ｍｍ）より若干大きい。このため、ＣＤ−ＲＯＭが水平ではなく傾けられて、開口に配置された場合に、りＣＤ−ＲＯＭの両端部が、ガイドレール１３２の上に載置されず、その一端が、境界部２３上に載ってしまう場合がある。この状態で、ＣＤ−ＲＯＭを収容位置に向けてスライドさせると、ＣＤ−ＲＯＭの記録面が傷つくおそれがある。そこで、ガイドレールの側壁１３３を内側に傾斜させることにより、境界部２３の上面の幅をＣＤ−ＲＯＭの径よりも小さくしておく。これにより、ＣＤ−ＲＯＭが斜め傾けられてガイドレール１３２上に載置されようとする場合でも、ＣＤ−ＲＯＭの端部は、境界部２３の上面ではなく、側壁１３３に当接し、その結果、ガイドレール１３２上に、当該端部が押し上げられて、適切な位置にＣＤ−ＲＯＭが配置される。
【００４５】
さらに、側壁１２８も若干内側に傾斜させることにより、ＣＤ−ＲＯＭの端部を側壁１２８に接触させ、当該側壁１２８に沿わせて落下させることにより、ガイドレール１３２の上にＣＤ−ＲＯＭを載置することが可能となる。
本発明は、以上の実施の形態に限定されることなく、特許請求の範囲に記載された発明の範囲内で、種々の変更が可能であり、それらも本発明の範囲内に包含されるものであることは言うまでもない。
【００４６】
たとえば、前記実施の形態において、ゲームソフト収容体は、８０ｍｍ径のＣＤ−ＲＯＭ（いわゆる８センチＣＤ）を収容するための構造となっているが、これに限定されるものではなく、１２０ｍｍ径のＣＤ−ＲＯＭ（いわゆる１２センチＣＤ）を収容するような構造を採用しても良い。この場合、ＣＤ−ＲＯＭ収容部のサイズが変更されれば良い。
【００４７】
また、前記実施の形態においては、ゲームのプログラムを記憶したＣＤ−ＲＯＭを収容するためのゲームソフト収容ケースとして、本発明を適用した。しかしながら、本発明が収容できる記憶媒体は、これに限定される者ではない。たとえば、音楽ＣＤを収容し、ライナーノートなどの印刷物を下側部分に収容しても良い。また、ＣＤ−ＲＯＭ以外に、ＤＶＤ−ＲＯＭなど他の記憶媒体を収容可能であることも言うまでもない。
【００４８】
さらに、前記実施の形態においては、ＣＤ−ＲＯＭ収容部１４において、対向する側壁２８を、相互に接近するように部分的に変形させることにより、突起３４を形成し、当該突起３４が、ＣＤ−ＲＯＭが通過する際に弾性変形しているが、このような構成に限定されるものではない。たとえば、側壁を、開口から延びる互いに平行な第１の部分および第２の部分、並びに、第１の部分および第２の部分とわずかに離間した、ほぼ半円の形状をなす第３の部分から形成し、第３の部分の両端に、内側に付勢され、かつ、弾性変形可能な突起をそれぞれ設けても良い。
【００４９】
さらに、本発明にかかる側壁２８、１２８およびガイドレール３２、１３２は、上側部分と一体のものとして形成されても良いし、或いは、境界部と一体のものとして形成されても良い。たとえば、上側部分から下方に突出するように側壁を形成し、境界部から上方に延びるようにガイドレールを形成しても良い。又は、上側部分から下方に突出するように側壁およびガイドレースを形成しても良いし、逆に、境界部から上方に突出するようにガイドレールおよび側壁を形成しても良い。
【００５０】
【発明の効果】
本発明によれば、分解した筺体や説明書を、ＣＤ−ＲＯＭなどの記憶媒体とともに保管することができ、また、記憶媒体の記録面にキズがつくおそれの小さい、記憶媒体、特に、ゲームソフトの収容ケースを提供することができる。
【図面の簡単な説明】
【図１】図１は、本発明の実施の形態にかかるゲームソフト収容ケースの斜視図である。
【図２】図２は、本発明の実施の形態にかかるゲームソフト収容ケースの正面図である。
【図３】図３は、本発明の実施の形態にかかるゲームソフト収容ケースの右側面図である。
【図４】図４は、本発明の実施の形態にかかるゲームソフト収容ケースの底面図である。
【図５】図５は、図２のＡ−Ａ線切断部端面図である。
【図６】図６は、図２のＢ−Ｂ線切断部端面図である。
【図７】図７は、図２のＣ−Ｃ線切断部端面図である。
【図８】図８は、本実施の形態にかかるゲームソフト収容ケースの背面図である。
【図９】図９は、本実施の形態にかかるゲームソフト収容ケースの下側部分と、上側部分および境界部との取りつけを示す部分断面図である。
【図１０】図１０は、本実施の形態にかかるゲームソフト収容ケースをバインダに収容した例を示す図である。
【図１１】図１１は、第２の実施の形態にかかるゲームソフト収容ケースの正面図である。
【図１２】図１２は、第２の実施の形態にかかる舌片の略断面図である。
【図１３】図１３は、図１１のＦ−Ｆ切断部略断面図である。
【符号の説明】
１０    ゲームソフト収容ケース
１２    本体
１３    ＣＤ−ＲＯＭ
１４    ＣＤ−ＲＯＭ収容部
１６    メモリカード収容部
１８    取手
２０    上側部分
２２    下側部分
２３    境界部
２６    開口
２８    側壁
３０    カバー
３２    ガイドレール
３４    突起
３６    付勢部材
３８    舌片
４０    突起
【図１】
2004182236.tif 000003
【図２】
2004182236.tif 000004
【図３】
2004182236.tif 000005
【図４】
2004182236.tif 000006
【図５】
2004182236.tif 000007
【図６】
2004182236.tif 000008
【図７】
2004182236.tif 000009
【図８】
2004182236.tif 000010
【図９】
2004182236.tif 000011
【図１０】
2004182236.tif 000012
【図１１】
2004182236.tif 000013
【図１２】
2004182236.tif 000014
【図１３】
2004182236.tif 000015